(57)【要約】      （修正有）【課題】ばね部材の経時的なばね圧低下や使用者の好みに対応すべくばね圧を容易に調整できるチルトヒンジを提供する。【解決手段】便蓋の回動基端側に固定されたカムケース６の開放端部内に、が相対回転可能に嵌合されるように便座の回動基端側に固定されたばねケース７を備える。両ケースの同一回動軸心に貫通されて両ケースを連結したヒンジ軸８に挿通されてばねケース７内に軸心方向に移動可能に且つ回り止め状に収容されたスライダー９と、ばねケース７内に収容されスライダー９をカムケース側に押圧付勢するばね部材１０と、ばね部材１０のばね圧を調整できるばね圧調整手段２７を備える。ばね圧調整手段２７は、ばねケース７をヒンジ軸８に対し軸方向に移動可能に貫通し、ばねケース７の底部から突出するヒンジ軸８の突出端部に雄ねじ８ａを設け、この雄ねじにダブルナット２８を螺合装着させてなる。【選択図】図７
0003118020.tif 000002
【実用新案登録請求の範囲】
【請求項１】
相対的に開閉回動される第１の部材と第２の部材のうちの一方の部材に固定された有底筒状のカムケースと、このカムケースの開放端部内に、その開放端部が相対回動可能に嵌合されるように前記第１の部材と第２の部材のうちの他方の部材に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、
前記カムケースの内底面の前記ヒンジ軸周りに、径方向で対向する少なくとも一対の、全体が断面台形の山形状で平らな山頂面とこの山頂面の少なくとも一端から内底面に向かって下る傾斜面とを有するカムが備えられており、
前記スライダーの先端における前記ヒンジ軸の周りに、前記カムケースの回動に伴い前記カムに対し摺接する断面台形状のカムフォロアが一体に形成されており、
前記第１の部材または第２の部材の開き状態では、前記カムが、前記スライダーに作用する前記ばね部材のばね圧と、前記カムフォロアと接触する前記カムの傾斜面の傾斜角度とによって、前記第１の部材または第２の部材の自重による閉じ方向への回転トルクよりも大きい開き方向の回転トルクが発生するようにしてあるチルトヒンジにおいて、
前記ばね部材のばね圧を調整できるばね圧調整手段を備えていることを特徴とする、チルトヒンジ。
【請求項２】
前記ばね圧調整手段が、前記ばねケースを前記ヒンジ軸に対し軸方向に移動可能に貫通し、前記ばねケースの底部から突出する前記ヒンジ軸の突出端部に雄ねじを設け、この雄ねじにダブルナットを螺合装着し、該ダブルナットを前記ばねケースの底部外面に当接させてなる、請求項１記載のチルトヒンジ。
【請求項３】
前記ばね圧調整手段が、前記カムを前記カムケースとは別体に形成し、該カムを前記ヒンジ軸に貫通させるとともに前記カムケースの内底面に軸方向に移動可能に且つ回り止め状に収容配備し、前記カムの背面側および前記カムケースの底部外面へ突出する前記ヒンジ軸の端部に雄ねじを設け、この雄ねじにダブルナットを螺合装着し、該ダブルナットを前記カムの背面側に当接させてなる、請求項１記載のチルトヒンジ。
【考案の詳細な説明】
【技術分野】
【０００１】
本考案は、洋式便器の便蓋・便座、ノート型パソコン、小型測定機器など開閉体の開閉回動機構に好適に用いられるチルトヒンジに関する。
【背景技術】
【０００２】
例えば、洋式便器の便座のチルトヒンジとして、先に同一出願人により以下のようなチルトヒンジを提案した（特許文献１参照。）。そこでは、便座の回動基端側に固定されたカムケースと、このカムケース内に相対回転可能に嵌合されるように洋式便器側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備える。そして、前記カムケースの内底面の前記ヒンジ軸周りにはカムが一体に形成され、前記スライダーの先端における前記ヒンジ軸の周りに、前記カムケースの回転に伴い前記カムに対し摺接するカムフォロアが一体に形成され、前記便座の開き状態では、前記カムが、前記スライダーに作用する前記ばね部材のばね圧と、前記カムフォロアと接触する前記カムの傾斜面の傾斜角度とによって、前記便座の自重による閉じ方向への回転トルクよりも大きい開き方向の回転トルクが発生するようにしたものである。
【０００３】
このようなチルトヒンジによれば、便座の開き状態では、カムが、スライダーをカムケース側に押圧付勢するばね部材のばね圧と、スライダーのカムフォロアと接触するカムの傾斜面の傾斜角度とによって便座の自重による閉じ方向への回転トルクよりも大きい開き方向の回転トルクが発生するようにしてあるので、便座を手で持ち上げて開くときに要する操作力を軽減でき、また便座が開き状態で不用意に閉じ方向に倒れるようなことがなくてその開き状態を確保できる。したがって、とくに、介護用洋式便器に適用した場合は被介護者にとって使い勝手が良好であるという利点がある。
【０００４】
【特許文献１】実用新案登録第３１１３９６３号
【考案の開示】
【考案が解決しようとする課題】
【０００５】
しかるに、上記のようなチルトヒンジでは、スライダーに作用するばね部材のばね圧は初期において一定に設定されたままであるので、使用者の身体の異状や障害などによっては強過ぎたり、弱過ぎたりすることがあってもそのばね圧調整ができないという不利不便があった。また、経時的にばね部材が疲労してばね圧が低下するという問題があった。
【０００６】
本考案の目的は、このような問題を解決するためになされたもので、ばね部材の経時的なばね圧低下や使用者の使い易い要望に対応すべくばね圧を容易に調整できるチルトヒンジを提供することにある。
【課題を解決するための手段】
【０００７】
本考案は、相対的に開閉回動される第１の部材と第２の部材のうちの一方の部材に固定された有底筒状のカムケースと、このカムケースの開放端部内に、その開放端部が相対回動可能に嵌合されるように前記第１の部材と第２の部材のうちの他方の部材に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、前記カムケースの内底面の前記ヒンジ軸周りに、径方向で対向する少なくとも一対の、全体が断面台形の山形状で平らな山頂面とこの山頂面の少なくとも一端から内底面に向かって下る傾斜面とを有するカムが備えられており、前記スライダーの先端における前記ヒンジ軸の周りに、前記カムケースの回動に伴い前記カムに対し摺接する断面台形状のカムフォロアが一体に形成されており、前記第１の部材または第２の部材の開き状態では、前記カムが、前記スライダーに作用する前記ばね部材のばね圧と、前記カムフォロアと接触する前記カムの傾斜面の傾斜角度とによって、前記第１の部材または第２の部材の自重による閉じ方向への回転トルクよりも大きい開き方向の回転トルクが発生するようにしてあるチルトヒンジにおいて、前記ばね部材のばね圧を調整できるばね圧調整手段を備えていることに特徴を有するものである。
【０００８】
ひとつの好適な実施態様として、本考案によるチルトヒンジは、前記ばね圧調整手段として、前記ばねケースを前記ヒンジ軸に対し軸方向に移動可能に貫通し、前記ばねケースの底部から突出する前記ヒンジ軸の突出端部に雄ねじを設け、この雄ねじにダブルナットを螺合装着し、該ダブルナットを前記ばねケースの底部外面に当接させてなるものとすることができる。
また、前記ばね圧調整手段としては、前記カムを前記カムケースとは別体に形成し、該カムを前記ヒンジ軸に貫通させるとともに前記カムケースの内底面に軸方向に移動可能に且つ回り止め状に収容配備し、前記カムの背面側および前記カムケースの底部外面へ突出する前記ヒンジ軸の端部に雄ねじを設け、この雄ねじにダブルナットを螺合装着し、該ダブルナットを前記カムの背面側に当接させてなるものとすることもできる。
【考案の効果】
【０００９】
上記構成のチルトヒンジによれば、第１の部材又は第２の部材の開き状態では、カムが、スライダーをカムケース側に押圧付勢するばね部材のばね圧と、スライダーのカムフォロアと接触するカムの傾斜面の傾斜角度とによって第１の部材又は第２の部材の自重による閉じ方向への回転トルクよりも大きい開き方向の回転トルクが発生するようにしてあるので、第１の部材又は第２の部材を手で持ち上げて開くときに要する操作力を軽減でき、また第１の部材又は第２の部材が開き状態で不用意に閉じ方向に倒れるようなことがなくてその開き状態を確保できる。したがって、介護用洋式便器等に適用した場合は被介護者にとって使い勝手の良好なものである。
とくに、ばね圧調整手段によりスライダーに作用するばね部材のばね圧を調整できるので、使用者の好みに応じて第１の部材又は第２の部材の開閉力や開閉速度を自由に変更できて便利であり、また経時的にばね圧が低下したときはばね圧調整手段によってばね圧を上げることができるという利点もある。
【考案を実施するための最良の形態】
【００１０】
本考案の好適な実施形態を図面に基づき説明する。図１は本考案の一実施例を示すチルトヒンジを取付けた便蓋及び便座を全閉状態で示す洋式便器の斜面図、図２は同洋式便器の側面図、図３は同便蓋、便座及びチルトヒンジの分解斜視図、図４はチルトヒンジのみの分解斜視図、図５はチルトヒンジのカムケースの透視図、図６の（ａ）はカムケースのカムを円周方向に切断して示す展開断面図、（ｂ）はカムフォロアを円周方向に切断して示す展開断面図、図７はチルトヒンジによる開き作動状態図、図８はチルトヒンジによる閉じ作動状態図、図９はチルトヒンジによる開閉中間位置の作動状態図、図１０の（ａ）はチルトヒンジによる閉じ作動時におけるカムとカムフォロアとの接触状態を示す展開断面図、（ｂ）はチルトヒンジによる開閉中間位置におけるカムとカムフォロアとの接触状態を示す展開断面図、（ｃ）はチルトヒンジによる開き作動状態時におけるカムとカムフォロアとの接触状態を示す展開断面図である。
【００１１】
図１〜図３は本考案の実施形態を示しており、この実施形態では、第１の部材を構成する洋式便器３の上面に対し、第２の部材を構成する便蓋１および便座２が、チルトヒンジＨを介して、図２（ａ）に仮想線で示すごとく垂直もしくは垂直に近い姿勢に開く開き状態と、図１、図２に実線状態で示すように洋式便器３の上面に水平もしくは水平に近い姿勢に閉じる閉じ状態とにわたって回動し、また便蓋１が、前記チルトヒンジＨとは別のチルトヒンジＨを介して、水平もしくは水平に近い姿勢の便座２の上面に対し図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにしたものである。
【００１２】
まず、第２の部材を構成する便座２が便蓋１ごと図２（ａ）に仮想線で示すように第１の部材である水平な洋式便器３の上面に対し垂直もしくは垂直に近い姿勢に開く開き状態と、図２（ａ）に実線で示すように洋式便器３の上面に水平もしくは水平に近い姿勢に閉じる閉じ状態とにわたって回動するようにした場合のチルトヒンジＨの実施例について以下に説明する。
【００１３】
図１、図３に示すように、洋式便器３はこれの上面の後部に便座２を取付けるための左右一対の取付突起４，４を上向きに突設している。一方、便座２は洋式便器３の上面を覆い得る大きさの平面視で馬蹄形状に形成され、この便座２の後方の回動基端側には、洋式便器３の取付突起４，４に対応する左右一対のボス５，５（図３では一方のボス５のみを示す）が一体に備えられる。この便座２の一方のボス５と洋式便器３の一方の取付突起４間にチルトヒンジＨが組込まれる。便座２のもう一方のボス５と洋式便器３のもう一方の取付突起４間には、通常の継手ピンによるヒンジ（図示せず）が組込まれる。
【００１４】
上記チルトヒンジＨは、図３、図４に示すように、便座２のボス５に固定される有底筒状のカムケース６と、このカムケース６の開放端部６ａ内に、その開放端部７ａが相対回転可能に嵌合されるように洋式便器３の取付突起４に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０と、このばね部材１０のばね圧を調整できるばね圧調整手段２７とを備える。
【００１５】
図３、図４に示すように、カムケース６はこれの外周に複数個のキー状の突起１１を軸心方向に設け、便座２のボス５の内周に突起１１が嵌まる溝１２をつけ、カムケース６をボス５に嵌合することによりカムケース６が便座２の回動基端側に固定される。
このカムケース６の内底面６ｂのヒンジ軸８周りには、図５、図６（ａ）に示すように、径方向で対向する少なくとも一対の、全体が断面台形の山形状で平らな山頂面１３ａとこの山頂面１３ａの両端から内底面６ｂに向かって下る第１，２の傾斜面１３ｂ，１３ｃとを有するカム１３が一体に形成されている。隣接するカム１３とカム１３との間には断面三角形のストッパー突起１４が形成されている。
【００１６】
図３、図４に示すように、ばねケース７はこれの外周に複数個のキー状の突起１５を軸心方向に設け、洋式便器３の一方の取付突起４の先端部に設けた横孔１６の内周に突起１５が嵌まる溝１７をつけ、ばねケース７を横孔１６に挿入嵌合することによりばねケース７が洋式便器３の取付突起４に固定される。そして、便座２は洋式便器３の上に重ねられるとともに、カムケース６の開放端部６ａ内に、ばねケース７の開放端部７ａが相対回転可能に嵌合される。図４に示すように、ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００１７】
スライダー９の先端におけるヒンジ軸８の周りには、図４、図６（ｂ）に示すように、カムケース６の回転に伴いカム１３に対し摺接するカムフォロア２０，２０が一体に形成されている。カムフォロア２０は、平らな山頂面２０ａと、カム１３の傾斜面１３ｂ，１３ｃに倣う傾斜面２０ｂ，２０ｃを有する断面台形状に形成されている。
カムケース６のカム１３における一方の第１の傾斜面１３ｃの傾斜角度（平らな内底面６ｂと成す角度）は、便座２の開き状態で、図７、図１０（ｃ）に示すように、カムフォロア２０の傾斜面２０ｃと接触し、スライダー９に作用するばね部材１０のばね圧Ｗを伴って便座２の自重による閉じ方向への回転トルクよりも大きい開き方向Ｘの回転力が発生する角度に設定している。カム１３のもう一方の第２の傾斜面１３ｂの傾斜角度は、便座２の閉じ状態で、図８、図１０（ａ）に示すように、カムフォロア２０の傾斜面２０ｂと接触し、スライダー９に作用するばね部材１０のばね圧Ｗを伴って閉じ方向Ｙの回転力が発生する角度に設定している。
【００１８】
ばね圧調整手段２７は、図７中の断面図Ｂ−Ｂ、図８中の断面図Ｅ−Ｅに示すように、ばねケース７をヒンジ軸８に対し軸方向に移動可能に貫通し、ばねケース７の底部から突出するヒンジ軸８の一端の突出端部に雄ねじ８ａを設け、この雄ねじ８ａに本ナット２８ａと止めナット２８ｂによるダブルナット２８を螺合装着し、止めナット２８ｂをばねケース７の底部外面に当接させてなる。ヒンジ軸８の他端部８ｃはカムケース６の底部中央の角孔３１に回り止め状に且つ止め輪３２で抜止め状に挿通固定している。
【００１９】
次に、上記構成のチルトヒンジＨの作動について図７〜図９、図１０（ａ）〜（ｃ）を参照して説明する。
【００２０】
図２（ａ）中、仮想線では、便座２が便蓋１ごと開角９０度を少し越えて後方へ少し傾いた開き状態を示している。この開き状態では、図７、図１０（ｃ）に示すように、ばねケース７は固定状態にあり、カムケース６のカム１３は、スライダー９に作用するばね部材１０のばね圧Ｗと、ばねケース７内のスライダー９のカムフォロア２０の傾斜面２０ｃと接触しているカム１３の一方の第１の傾斜面１３ｃの傾斜角度とにより開き方向Ｘの回転力が発生している。その開き方向Ｘの回転力は任意の角度(カム１３の第１の傾斜面１３ｃとカムフォロア２０の傾斜面２０ｃとが接触している間）で働き、自由に角度設定ができる。開き状態時ではストッパー突起１４とカムフォロア２０の傾斜面２０ｂとが接触することにより最大開角を規制する。この便座２の最大開角の規制手段としては、図４、図７に示すように、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００２１】
この開き状態から便座２を閉じる方向にヒンジ軸８回りに手動で回動させて行くと、一旦、図９、図１０（ｂ）に示すように、カム１３の平らな山頂面１３ａとカムフォロア２０との山頂面２０ａが面接触するが、この時はばね部材１０がその面を押さえているだけなので、回転力は発生しない。しかし、更に、便座２を閉じ方向に手動で回動させて行くと、便座２が洋式便器３上に閉じ、この閉じ状態では、図８、図１０（ａ）に示すように、カム１３は、スライダー９に作用するばね部材１０のばね圧Ｗと、スライダー９のカムフォロア２０の傾斜面２０ｂと接触しているカム１３のもう一方の第２の傾斜面１３ｂの傾斜角度とにより閉じ方向Ｙの回転力が発生している。その閉じ方向Ｙの回転力は任意の角度(カム１３のもう一方の傾斜面１３ｂとカムフォロア２０の傾斜面２０ｂとが接触している間)で働き、自由に角度設定ができる。
【００２２】
便座２を閉じ状態から手で持ち上げて開き状態に戻す時には、カム１３は、第２の傾斜面１３ｂをカムフォロア２０の傾斜面２０ｂから乗り上げて一旦、平らな山頂面１３ａをカムフォロア２０の山頂面２０ａと面接触させてから、第１の傾斜面１３ｃがカムフォロア２０の傾斜面２０ｃと接触し始める。この接触により、カム１３が、スライダー９に作用するばね部材１０によるばね圧Ｗと、カムフォロア２０の傾斜面２０ｃと接触するカム１３の第１の傾斜面１３ｃの傾斜角度とにより便座２の自重による閉じ方向への回転トルクよりも大きい開き方向Ｘの回転トルクが発生するようにしてあるため、この回転トルクの作用により、軽い操作力で便座２を全開状態に容易に戻すことができるし、また便座２が不用意に閉じ方向に倒れるようなことがなくてその開き状態を確保できる。その際、カム１３の第１の傾斜面１３ｃは、便座２が開角３０°付近を越えると自動的に開く作用を働くような傾斜角度に設定している。このように便座２を開くときに、大きな操作力を必要としないようにしてあるため、介護用洋式便器に適用しても被介護者などの負担を軽減できる。
【００２３】
スライダー９に作用するばね部材１０のばね圧Ｗが強過ぎるときはダブルナット２８による締付けを緩めてばねケース７をカムケース６から遠ざける方向に移動させることによりばね圧Ｗを下げることができる。ばね圧Ｗが弱過ぎるときは、反対にダブルナット２８の締付けを強めてばねケース７をカムケース６の方へ近づける方向に移動させることによりばね圧Ｗを上げることができる。経時的にばね部材１０の疲労に伴いばね圧Ｗが低下したときは、ダブルナット２８の締付けを強めればよい。これらばね圧Ｗの調整はダブルナット２８により微調整でき、調整後は止めナット２８ｂによるロック作用により振動などで弛むことがない。
【００２４】
ばね圧調整手段２７としては、上記実施例のばね圧調整手段２７の構成に代えて、図１１に示すように、カム１３をカムケース６とは別体に形成し、このカム１３をヒンジ軸８に貫通させるとともにカムケース６の内底面に軸方向に移動可能に且つ回り止め状に収容配備し、カム１３の背面側およびカムケース６の底部開口部６ｃから外方へ突出するヒンジ軸８の他端部８ｃに雄ねじ８ｂを設け、この雄ねじ８ｂに本ナット２８ａと止めナット２８ｂによるダブルナット２８を螺合装着して止めナット２８ｂをカム１３の背面側に当接させるというものであってもよい。カム１３をカムケース６内に軸方向に移動可能に且つ回り止め状に収容するには、例えば、図１２に示すように、カム１３の外周面一部に凹部２９を設け、この凹部２９をカムケース６の周壁内面に軸方向に設けた回り止め突条３０に摺動可能に嵌合させればよい。ヒンジ軸８の一端部８ｄはばねケース７の底部中央の角孔３３に回り止め状に且つ止め輪３４で抜止め状に挿通固定している。
【００２５】
このように構成されたばね圧調整手段２７においても、スライダー９に作用するばね部材１０のばね圧Ｗが強過ぎるときはダブルナット２８による締付けを緩めてカム１３をカムケース６の内底面に近づける方向に移動させることによりばね圧Ｗを下げることができる。ばね圧Ｗが弱過ぎるときは、反対にダブルナット２８の締付けを強めてカム１３をカムケース６の内底面から遠ざける方向に移動させることによりばね圧Ｗを上げることができる。経時的にばね部材１０の疲労に伴いばね圧Ｗが低下したときは、ダブルナット２８の締付けを強めればよいこと、これらばね圧Ｗの調整はダブルナット２８により微調整でき、調整後は止めナット２８ｂによるロック作用により振動などで弛むことがないことは、上記実施例のばね圧調整手段２７の場合と同様である。
【００２６】
次に、第１の部材を構成する、洋式便器３上に閉じた水平もしくは水平に近い状態の便座２の上面に対して、第２の部材を構成する便蓋１が、図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにした場合のチルトヒンジＨの実施例について以下に説明する。
【００２７】
便蓋１は、図１、図３に示すように、洋式便器３及び便座２の上面全体を覆い得る大きさの平面視において馬蹄形状の盲壁に形成される。便蓋１の後方の回動基端側には、便座２の一方のボス５に対応するボス２６が一体に備えられる。この便蓋１の一方のボス２６と便座２の一方のボス５間にチルトヒンジＨが組込まれる。便蓋１のもう一方のボス２６と便座２のもう一方のボス５間には、通常の継手ピンによるヒンジ(図示せず)が組込まれる。
【００２８】
この場合のチルトヒンジＨそれ自体は、上記実施例のチルトヒンジＨと同一構造に構成されるものであって、便蓋１のボス２６に固定される有底筒状のカムケース６と、このカムケース６の開放端部６ａ内に、その開放端部７ａが相対回転可能に嵌合されるように便座２のボス５に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０と、このばね部材１０のばね圧を調整できるばね圧調整手段２７と、を備える。
【００２９】
上記実施例でも説明したとおり、カムケース６はこれの外周に複数個のキー状の突起１１を軸心方向に設け、便蓋１のボス２６の内周に突起１１が嵌まる溝（図示せず）をつけ、カムケース６をボス２６に嵌合することによりカムケース６が便蓋１の回動基端側に固定される。このカムケース６の内底面６ａのヒンジ軸８周りには、図５、図６（ａ）に示すように、径方向で対向する少なくとも一対の、全体が断面台形の山形状で平らな山頂面１３ａとこの山頂面１３ａの両端から内底面６ｂに向かって下る傾斜面１３ｂ，１３ｃとを有するカム１３が一体に形成されている。隣接するカム１３とカム１３との間には断面三角形のストッパー突起１４が形成されている。-
【００３０】
また、上記実施例でも説明したとおり、ばねケース７はこれの外周に複数個のキー状の突起１５を軸心方向に設け、便座２の回動基端側に一体に突設したボス５の内周に突起１５が嵌まる溝１２をつけ、ばねケース７をボス５内の上記実施例のカムケース６の軸方向外方に並ぶよう該ボス５内に嵌合することによりばねケース７が便座２の回動基端側に固定される。そして、便蓋１は便座２の上に重ねられるとともに、カムケース６の開放端部６ａ内に、ばねケース７の開放端部７ａが相対回転可能に嵌合される。ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００３１】
スライダー９の先端におけるヒンジ軸８の周りには、これ又、上記実施例で説明した通り、図４、図６（ｂ）に示すように、カムケース６の回転に伴いカム１３に対し摺接するカムフォロア２０，２０が一体に形成されている。カムフォロア２０は、平らな山頂面２０ａと、カム１３の傾斜面１３ｂ，１３ｃに倣う傾斜面２０ｂ，２０ｃを有する断面台形状に形成されている。
カムケース６のカム１３の一方の第１の傾斜面１３ｃの傾斜角度（平らな内底面６ｂと成す角度）は、便蓋１の開き状態で、図７、図１０（ｃ）に示すように、カムフォロア２０の傾斜面２０ｃと接触し、スライダー９に作用するばね部材１０のばね圧Ｗを伴って便蓋１の自重による閉じ方向への回転トルクよりも大きい開き方向Ｘの回転力が発生する角度に設定している。カム１３のもう一方の第２の傾斜面１３ｂの傾斜角度は、便蓋１の閉じ状態で、図８、図１０（ａ）に示すように、カムフォロア２０の傾斜面２０ｂと接触し、スライダー９に作用するばね部材１０のばね圧Ｗを伴って閉じ方向Ｙの回転力が発生する角度に設定している。
【００３２】
ばね圧調整手段２７は、上記実施例で挙げた二種のばね圧調整手段２７のいずれかを採用する。
【００３３】
次に、上記便蓋１のボス２６と便座２のボス５間のチルトヒンジＨの作動について図７〜図９、図１０（ａ）〜（ｃ）を参照して説明する。
図２（ａ）は便蓋１が開角９０度を少し越えて後方へ少し傾いた開き状態を示している。この開き状態では、図７、図１０（ｃ）に示すように、ばねケース７は固定状態にあり、カムケース６のカム１３はばね部材１０のばね圧と、スライダー９のカムフォロア２０の傾斜面２０ｃと接触しているカム１３の一方の第１の傾斜面１３ｃの傾斜角度とにより開き方向Ｘの回転力が発生している。その開き方向の回転力は任意の角度(カム１３の第１の傾斜面１３ｃとカムフォロア２０の傾斜面２０ｃとが接触している間）で働き、自由に角度設定ができる。開き状態時ではストッパー突起１４とカムフォロア２０の傾斜面２０ｂとを接触させることにより最大開角を規制する。この便座２の最大開角の規制手段としては、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００３４】
この開き状態から便蓋１を閉じる方向にヒンジ軸８回りに手動で回動させて行くと、一旦、図９、図１０（ｂ）に示すように、カム１３の平らな山頂面１３ａとカムフォロア２０の山頂面２０ａとが面接触するが、この時はばね部材１０がその面を押さえているだけなので、回転力は発生しない。しかし、更に、便蓋１を閉じ方向に手動で回動させて行くと、便蓋１が便座２上に閉じ、この閉じ状態では、図８、図１０（ａ）に示すように、カム１３はスライダー９に作用するばね部材１０のばね圧Ｗと、スライダー９のカムフォロア２０の傾斜面２０ｂと接触しているカム１３のもう一方の第２の傾斜面１３ｂの傾斜角度とにより閉じ方向Ｙの回転力が発生している。その閉じ方向Ｙの回転力は任意の角度(カム１３のもう一方の傾斜面１３ｂとカムフォロア２０の傾斜面２０ｂとが接触している間)で働き、自由に角度設定ができる。
【００３５】
便蓋１を閉じ状態から手で持ち上げて開き状態に戻す時には、カム１３は、第２の傾斜面１３ｂをカムフォロア２０の傾斜面２０ｂから乗り上げて一旦、平らな山頂面１３ａをカムフォロア２０の山頂面２０ａと面接触させてから、第１の傾斜面１３ｃがカムフォロア２０の傾斜面２０ｃと接触し始める。この接触により、カム１３がスライダー９に作用するばね部材１０によるばね圧Ｗと、カムフォロア２０の傾斜面２０ｃと接触するカム１３の第１の傾斜面１３ｃの傾斜角度とにより便蓋１の自重による閉じ方向への回転トルクよりも大きい開き方向Ｘの回転トルクが発生するようにしてあるため、この回転トルクの作用により、軽い操作力で便蓋１を全開状態に容易に戻すことができるし、また便蓋１が不用意に閉じ方向に倒れるようなことがなくてその開き状態を確保できる。その際、カム１３の第１の傾斜面１３ｃは、便蓋１が開角３０°付近を越えると自動的に開く作用を働くような角度に設定している。このように便蓋１を開くときに、大きな操作力を必要としないようにしてあるため、介護用洋式便器に適用しても被介護者などの負担を軽減できる。
【００３６】
スライダー９に作用するばね部材１０のばね圧Ｗが強過ぎるときはダブルナット２８による締付けを緩め、弱過ぎるときは反対にダブルナット２８の締付けを強めればよい。経時的にばね圧Ｗが低下したときは、ダブルナット２８の締付けを強めればよい。
【００３７】
上記実施例では、便座２の一方のボス５と洋式便器３の一方の取付突起４間にチルトヒンジＨが組込まれ、便座２のもう一方のボス５と洋式便器３のもう一方の取付突起４間には、通常の継手ピンによるヒンジが組込まれるが、便座２の両方のボス５，５と洋式便器３の両方の取付突起４，４間にそれぞれ上記チルトヒンジＨを組込むこともできる。同様に、便蓋１の一方のボス２６と便座２の一方のボス５間にチルトヒンジＨを組込み、便蓋１のもう一方のボス２６と便座２のもう一方のボス５間には、通常の継手ピンによるヒンジを組込むという上記実施例に代えて、便蓋１に左右一対のボス２６，２６を設け、この両方のボス２６，２６と便座２の両方のボス５，５間にそれぞれ上記チルトヒンジＨを組込むこともできる。
【００３８】
上記実施例では、カムケース６と一体もしくは別体のカム１３が山頂面１３ａの両端から内底面６ｂに向かって下る第１，２の傾斜面１３ｃ，１３ｂを有する形に形成されて、開閉途上の或る開角付近から自動的に開いたり閉じたりすることができるものとしてあるが、第１の傾斜面１３ｃのみ又は第２の傾斜面１３ｂのみを有する形のカム１３を採用して開閉途上の或る開角付近から自動的に開くだけ又は閉じるだけのものとすることもできる。
【００３９】
本考案のチルトヒンジは、洋式便器の便蓋や便座以外に、第１の部材を構成するキーボード本体と第２の部材であるディスプレイ装置からなるノート型パソコン、その他に小型測定機器等の開閉体の開閉用ヒンジとしても同様に適用できる。
【図面の簡単な説明】
【００４０】
【図１】本考案の一実施例を示すチルトヒンジにより取付けられた便蓋及び便座を全閉状態で示す洋式便器の斜面図である。
【図２】同洋式便器の側面図である。
【図３】同便蓋、便座及びチルトヒンジの分解斜視図である。
【図４】チルトヒンジのみの分解斜視図である。
【図５】チルトヒンジのカムケースの透視図である。
【図６】（ａ）はカムケースのカムを円周方向に切断して示す展開断面図、（ｂ）はカムフォロアを円周方向に切断して示す展開断面図である。
【図７】チルトヒンジによる開き作動状態図である。
【図８】チルトヒンジによる閉じ作動状態図である。
【図９】チルトヒンジによる開閉中間位置の作動状態図である。
【図１０】（ａ）はチルトヒンジによる閉じ作動時におけるカムとカムフォロアとの接触状態を示す展開断面図、（ｂ）はチルトヒンジによる開閉中間位置におけるカムとカムフォロアとの接触状態を示す展開断面図、（ｃ）はチルトヒンジによる開き作動状態時におけるカムとカムフォロアとの接触状態を示す展開断面図である。
【図１１】他の実施例を示すチルトヒンジの断面図である。
【図１２】図１１におけるＫ−Ｋ線断面図である。
【符号の説明】
【００４１】
Ｈ  チルトヒンジ
１  便蓋
２  便座
３  洋式便器
６  カムケース
６ａ  開放端部
６ｂ  内底面
７  ばねケース
７ａ  開放端部
８  ヒンジ軸
８ａ，８ｂ  雄ねじ
９  スライダー
１０  ばね部材
１３  カム
１３ａ  山頂面
１３ｂ，１３ｃ  傾斜面
２０  カムフォロア
２７  ばね圧調整手段
２８  ダブルナット
【図１】
0003118020.tif 000003
【図２】
0003118020.tif 000004
【図３】
0003118020.tif 000005
【図４】
0003118020.tif 000006
【図５】
0003118020.tif 000007
【図６】
0003118020.tif 000008
【図７】
0003118020.tif 000009
【図８】
0003118020.tif 000010
【図９】
0003118020.tif 000011
【図１０】
0003118020.tif 000012
【図１１】
0003118020.tif 000013
【図１２】
0003118020.tif 000014